(57)【要約】【課題】遊技場に設けられる複数の遊技機の確率設定に関し、確率設定が個々には操作できないようにすることで、常に公平で健全な状態が保たれ、不正が防止されるようにする。【解決手段】複数の遊技機２０１〜２１５が管理装置１と接続され、該各遊技機は数段階の大当り確率のうちのいずれかを選択して設定する確率選択設定手段を備え、該確率選択設定手段によって設定された大当り発生確率に基づいて抽選遊技を行うものであり、該管理装置は大当り確率を遊技機の台数でのみ設定し得る確率振分テーブルを備え、各遊技機の確率選択設定手段は該確率振分テーブルに設定されたいずれか不特定の大当り確率を選択設定する。【選択図】図１
2005177024.tif 000002
【特許請求の範囲】
【請求項１】
複数の遊技機が管理装置と接続され、該各遊技機は数段階の大当り確率のうちのいずれかを選択して設定する確率選択設定手段を備え、該確率選択設定手段によって設定された大当り発生確率に基づいて抽選遊技を行うものであり、該管理装置は大当り確率を遊技機の台数でのみ設定し得る確率振分テーブルを備え、各遊技機の確率選択設定手段は該確率振分テーブルに設定されたいずれか不特定の大当り確率を選択設定するようにしたことを特徴とする遊技機の確率設定管理装置。
【請求項２】
遊技機の電源投入後における最初の抽選遊技がスタートすることに基づいて該遊技機の大当り確率の選択設定がなされるようにした請求項１に記載の遊技機の確率設定管理装置。
【請求項３】
確率振分テーブルに設定された大当り確率を遊技機が選択設定することによりその大当り確率は振り分け得る台数から減らされるようにした請求項１または２に記載の遊技機の確率設定管理装置。
【発明の詳細な説明】
【技術分野】
【０００１】
本発明は遊技場に設けられるパチンコ機、スロットマシン等の複数の遊技機の確率設定を統合的に管理するための装置に関するものである。
【背景技術】
【０００２】
パチンコ機、スロットマシン等の遊技機は、従来から大当りの発生確率を高確率から低確率まで数段階に選択し得る確率選択設定スイッチを備え、遊技場の経営者は、営業を開始する前にこの確率設定をすることにより、出す台と出さない台とを決定できるようにしている。
【０００３】
また、下記特許文献１に記載された還元率管理システムは、遊技場に設けられた複数の遊技機の還元率を所定の時間内で変化させることで遊技性が向上するようにしたものである。
【特許文献１】特開平６−７９０５１号公報
【特許文献２】特開平６−２７７３３３号公報
【発明の開示】
【発明が解決しようとする課題】
【０００４】
ところで、上記のように大当りの発生確率が遊技場経営者によって自由に設定できるようになっていると、近時の問題として、高確率設定の台をいわゆる「サクラ」に使わせ、「サクラ」が得た利益の何割かを遊技場に返還させ、他の遊技客を欺くといった不正な仕業がなされることがあった。そしてこのようなことが続けられると遊技場の信用をなくすおそれがあった。
【０００５】
そこで本発明は、大当り確率が個々の遊技機毎には設定操作できないようにすることで、常に公平で健全な状態が保たれ、不正が防止されるようにするものである。
【課題を解決するための手段】
【０００６】
そのために請求項１に記載の遊技機の確率設定管理装置は、複数の遊技機が管理装置と接続され、該各遊技機は数段階の大当り確率のうちのいずれかを選択して設定する確率選択設定手段を備え、該確率選択設定手段によって設定された大当り発生確率に基づいて抽選遊技を行うものであり、該管理装置は大当り確率を遊技機の台数でのみ設定し得る確率振分テーブルを備え、各遊技機の確率選択設定手段は該確率振分テーブルに設定されたいずれか不特定の大当り確率を選択設定するようにしたことを特徴とする。
【０００７】
また請求項２に記載の発明は、上記確率設定管理装置において遊技機の電源投入後における最初の抽選遊技がスタートすることに基づいて該遊技機の大当り確率の選択設定がなされるようにしたことを特徴とする。
【０００８】
また請求項３に記載の発明は、上記請求項１または２に記載の確率設定管理装置において、確率振分テーブルに設定された大当り確率を遊技機が選択設定することによりその大当り確率は振り分け得る台数から減らされるようにしたことを特徴とする。
【発明の効果】
【０００９】
確率振分テーブルに所定の大当り確率の台数を設定することにより遊技場としては総じて所期の大当り確率に沿ったサービスを提供することができるものの、個々の遊技機の大当り確率を自由に設定操作することはできない。このため、確率振分テーブルを設定した者であっても個々の遊技機の確率を知ることはなく、常に公平で健全な状態で遊技され、不正を防ぐことができる。
【実施例１】
【００１０】
次に本発明の実施例を説明する。図１は遊技機の確率設定管理装置のブロック図で、１は管理装置、２０１〜２１５は該管理装置に接続された複数（この例では１５台）の遊技機で、該各遊技機はパチンコ機またはスロットマシンのように抽選遊技手段を具備し、所定の始動条件が成立すること（周知の第１種パチンコ機では遊技球が始動口に入賞することであり、スロットマシンでは遊技者がスタートレバーを操作すること）により、ディスプレイの表示図柄を変動させ、或いは、図柄表示ドラムを回転させることで、抽選遊技を行い、所定の大当り発生確率に基づいて大当りが表示されると、多数の賞球、メダル等が払い出し可能となり遊技者に非常に利益となるように構成されている。また、該各遊技機２０１〜２１５は、数段階の大当り確率のうちのいずれかを選択して設定する確率選択設定手段を備えている。
【００１１】
また、管理装置１は確率振分テーブルを具備し、該確率振分テーブルには例えば図２に示したように、大当り発生確率を１／３００とするものが２台、１／３２０とするものが３台、１／３４０とするものが４台、１／３６０とするものが４台、１／３８０とするものが１台、１／４００とするものが１台、といったように大当り確率を遊技機の台数でのみ設定し得る。このため遊技場は各確率の台数をその日の状況によって自由に増減することができ、例えば、特定のサービス日には図３に示したように高確率の台数を増やし低確率の台数を減らすことができる。この設定は管理装置１に設けられる確率設定キーとその設定表示装置（図示せず）によって行われるが、これらは大当り確率を遊技機の台数でのみ設定し得るもので、特定の遊技機の大当り確率を設定することはできないようにしている。
【００１２】
次に図４のフローチャートに従いこの装置の作動を説明する。第１種パチンコ機の場合は遊技球が始動口に入賞することにより、スロットマシンの場合は遊技者がスタートレバーを操作することにより、電源投入後における最初の抽選遊技がスタートすると、図４のステップａからステップｂに移行し、該遊技機の確率選択設定手段が作動して管理装置１の前記確率振分テーブルに設定されたいずれか不特定の大当り確率を自らの大当り確率として選択設定する。そしてステップｃに移行し、該確率振分テーブルに設定されている台数を選択設定したものについて振り分け得る台数から減らす。即ち、確率振分テーブルが例えば図２に示したように設定されており、遊技機２０２がいま大当り確率として１／３２０を選択設定したとすると、該確率振分テーブルの確率１／３２０の設定台数を１台減らして残り２台とする。同様に他の遊技機についても電源投入後における最初の抽選遊技がスタートすることによって確率振分テーブルから大当り確率が選択設定される。そして、その選択設定によって残った大当り確率が次の遊技機が選択設定することとなる。そして、各遊技機はその選択設定された大当り確率にて通常の抽選遊技をすることとなる。
【００１３】
このように電源投入後における最初の抽選遊技がスタートすることにより次々と１５台総ての遊技機の大当り確率が設定され、その設定割合は当初に確率振分テーブルに設定したとおりになる。従って、遊技場として総体的に所期の大当り確率に従ったサービスを公平に提供することができる。ただし、個々の遊技機の大当り確率を自由に設定することはできず、また、確率振分テーブルを設定した者であっても個々の遊技機の設定確率を知ることもできないので、常に公平で健全な状態で遊技され、不正を確実に防ぐことができる。
【図面の簡単な説明】
【００１４】
【図１】本発明の実施例である確率設定管理装置のブロック図。
【図２】本発明の実施例である確率振分テーブルの設定例図。
【図３】本発明の実施例である確率振分テーブルの設定例図。
【図４】本発明の実施例である遊技機の略フローチャート。
【符号の説明】
【００１５】
１                  管理装置
２０１〜２１５      遊技機
【図１】
2005177024.tif 000003
【図２】
2005177024.tif 000004
【図３】
2005177024.tif 000005
【図４】
2005177024.tif 000006